(57)【特許請求の範囲】
【請求項１】
刷本載置台に載置した刷本の小口側の下面に、吸着ノズルを吸着して刷本を下方に引き下げるとともにこの引き下げた刷本の上面に、水平方向に位置を往復運動させながらエアーノズルで加圧エアーを吹き付け、刷本を上面から下方に押圧し、この押圧によって下方に引き下げられた刷本と、この引き下げた刷本の上部に配置した刷本との間に刷本分離片を挿入して刷本を更に引き下げ、上部の刷本との間隔を大きく形成するとともに、この状態の引き下げられた刷本を、ロータリーシリンダー機構により喰え取って、刷本載置台から引き出す事を特徴とする刷本の喰え取り方法。
【請求項２】
刷本載置台の下面に臨ませて配置し刷本の小口側の下面を吸着して刷本を下方に引き下げる吸着ノズルと、この吸着ノズルの引き下げに伴って引き下げられた刷本の上面に、水平方向に位置を往復運動させながら加圧エアーを吹付けるエアーノズルと、吸着ノズルとエアーノズルからの加圧エアーの吹付けにより引き下げられた刷本とこの刷本の上部に配置した刷本との間に挿入可能に配置した刷本分離片と、この刷本分離片によって上部の刷本と小口側を分離した刷本を喰え取るロータリーシリンダー機構とから成る事を特徴とする刷本の喰え取り装置。
【請求項３】
刷本は、複数枚の紙を複数回折畳んで、複数枚の紙が小口側に露出したバラケ部と、折畳んでバラケのない天地側の袋部とから成るものである事を特徴とする請求項１の刷本の喰え取り方法。
【請求項４】
刷本は、複数枚の紙を複数回折畳んで、複数枚の紙が小口側に露出したバラケ部と、折畳んでバラケのない天地側の袋部とから成るものである事を特徴とする請求項２の刷本の喰え取り装置。
【請求項５】
刷本は、複数枚の紙を複数回折畳んで、複数枚の紙が一方の小口側に露出したバラケ部と、折畳んでバラケのない天地側の袋部と、折畳んだ複数の袋部が露出した他方の小口側の複数袋部から成るものである事を特徴とする請求項１の刷本の喰え取り方法。
【請求項６】
刷本は、複数枚の紙を複数回折畳んで、複数枚の紙が一方の小口側に露出したバラケ部と、折畳んでバラケのない天地側の袋部と、折畳んだ複数の袋部が露出した他方の小口側の複数袋部でから成るものである事を特徴とする請求項２の刷本の喰え取り装置。
【請求項７】
刷本の喰え取りは、折畳んだ複数の袋部が露出した複数袋部から行うものである事を特徴とする請求項１の刷本の喰え取り方法。
【請求項８】
刷本の喰え取りは、折畳んだ複数の袋部が露出した複数袋部から行うものである事を特徴とする請求項２の刷本の喰え取り装置。
【請求項９】
エアーノズルは、吸着ノズルで引き下げられた刷本の小口側と天地側のバラケのない袋部との交差部分に臨ませて配置した事を特徴とする請求項１の刷本の喰え取り方法。
【請求項１０】
エアーノズルは、吸着ノズルで引き下げられた刷本の小口側と天地側のバラケのない袋部との交差部分に臨ませて配置した事を特徴とする請求項２の刷本の喰え取り装置。
【請求項１１】
エアーノズルは、吸着ノズルで引き下げられた刷本の小口側と天地側のバラケのない袋部との交差部分及び刷本の小口側の上面に臨ませて複数個配置した事を特徴とする請求項１の刷本の喰え取り方法。
【請求項１２】
エアーノズルは、吸着ノズルで引き下げられた刷本の小口側と天地側のバラケのない袋部との交差部分及び刷本の小口側の上面に臨ませて複数個配置した事を特徴とする請求項２の刷本の喰え取り装置。
【請求項１３】
刷本分離片は、支点軸により分離本体に、上下方向の回動可能に軸支され、分離本体との間隔に介装した押圧発条によって上部方向に付勢されるとともに、フレーム本体に固定した突当コロに突き当て、支点軸を支点として下方に回動可能とした事を特徴とする請求項１の刷本の喰え取り方法。
【請求項１４】
刷本分離片は、支点軸により分離本体に、上下方向の回動可能に軸支され、分離本体との間隔に介装した押圧発条によって上部方向に付勢されるとともに、フレーム本体に固定した突当コロに突き当て、支点軸を支点として下方に回動可能とした事を特徴とする請求項２の刷本の喰え取り装置。
詳細な説明
【発明の詳細な説明】
【０００１】
【産業上の利用分野】
本発明は、ロータリー丁合機に用いる、刷本の喰え取り方法及びその装置に係るものである。
【０００２】
【従来の技術】
従来、ロータリー丁合機で喰え取り、ページ毎に配列する刷本は、Ｂ５、Ａ４等の規格サイズで、長方形に印刷を施した複数枚の紙を折畳む事によって形成している。そして、刷本のＢ５、Ａ４等の長方形に折畳まれた刷本は、本件明細書に於いて、長辺を小口側、短辺を天地側と称している。
【０００３】
そして、従来は、印刷した大判の紙を、Ｂ５サイズ若しくはＡ４サイズ、その他の適宜の規格サイズに折畳んだ場合は、その折畳み状態に於て刷本は、複数枚の連続した紙を積層したものから成る。そして、この積層した複数枚の連続紙から成る刷本には、積層した紙の多数枚が露出するバラケ部分と、折畳む事によってバラケ部分が表示されない袋部とが形成される。
【０００４】
このバラケ部と袋部は、刷本の小口側に表れたり、天地側に表れたりする可能性があるが、従来は長辺である小口側に袋部を配置する様に形成している。そして、この袋部をロータリー丁合機によって喰え取り、取り出す事により、刷本をロータリー丁合機の受皿に送り込む事によって、多数ページの刷本の分配が成されている。
【０００５】
そして、長辺である小口側の袋部を喰え取る事により、バラケ部がロータリー丁合機の喰え取り方向に配置されないため、刷本はあたかも１枚の紙で構成される如くロータリー丁合機に容易に引き出す事が可能であった。
【０００６】
【解決しようとする課題】
しかしながら、最近、本の印刷ページを増加する要求と、印刷機の１回の印刷によって多くのページを効率良く印刷しようとする要求がなされる様に成った。しかし、印刷機による印刷幅は一定の幅に限定されているため、広い幅の紙に印刷を施す事はできない。そのため、印刷機の１回の印刷によって多くのページを効率良く印刷しようとする場合には、輪転機等の印刷機で行う１回の印刷の長さを長いものとする事が行われている。
【０００７】
すると、従来より長い寸法で印刷された１つの印刷物は、Ａ４、Ｂ５等の規格サイズに折畳まれる場合に、従来のものより折畳み回数が多く成るものと成る。そして、１つの連続した刷本の積層する紙数も多くなる。すると、その折込みの回数の関係から、袋部を長辺の小口側に配置する事ができないものが生じる。即ち短辺である天地側に袋部が形成され、長辺である小口側にはバラケが存在してしまうものと成る。
【０００８】
このバラケ部を避けるため、短辺の天地側をロータリー丁合機によって喰え取って刷本の載置台から引き出そうとすると、長辺が引出距離となるために、ロータリー丁合機による引き出し距離が長いものと成る。そのため、従来のロータリー丁合機では載置台から刷本を引き出す事ができないものと成る。
【０００９】
従来のロータリー丁合機は、刷本を喰え取って引き出す距離に一定の限界があり、そのため、長辺の小口側を喰えて引き出せば、短辺の短い天地側の分が引出距離となるため、刷本載置台からの引き出しが可能と成る。
【００１０】
そこで、従来方法と同様に、バラケ部である、小口側を喰え取ってロータリー丁合機に引き出そうとすると、バラケ部には多数の印刷した紙が露出していたり、複数の袋部が存在するため、このうちの一部のみが喰え取られ、他はロータリー丁合機による喰え取りができない状態で刷本を引き出すものと成る。そのため、刷本は引き裂かれて破損する可能性が極めて高く、殆ど喰え取りは不可能なものとなる。
【００１１】
本発明は上述の如き欠点を除去し、複数の袋部が配置された小口側や、多数枚の紙が露出したバラケ部側から、ロータリー丁合機による刷本の喰え取りを可能にしようとするものである。この小口側には、印刷した刷本の１枚１枚が露出している辺と、複数の袋部を露出した辺とが存在する。本発明に於ては、この複数の袋部が平行に配置された小口側から、ロータリー丁合機によって刷本を喰え取り、刷本載置台から取り出す事を可能にしようとするものである。
【００１２】
この複数袋部を、従来公知のロータリー丁合機によって喰え取る場合には、紙載置台に多数枚積層されている刷本の一番下端に位置する刷本の下面に吸着ノズルを吸着させる。そして、その吸着ノズルによって刷本を下方に引き下げ、上部の刷本との間に間隔を生じさせて、この間隔にロータリー丁合機の喰え爪を挿入する事により刷本の喰え取り及び引き出しを行う事になる。
【００１３】
しかし、この喰え取りは、袋部が１つだけ存在する場合には吸着ノズルによって刷本を下方に引き降ろす事により、１つの刷本はその全体が下方に引き降ろされる事に成るから、喰え取りによってこれを引き出す事は容易に行う事が可能に成る。
【００１４】
ところが、バラケ部とか複数の袋部が存在する場合には、吸着ノズルを刷本の下面に吸着して下方に移動させると、吸着ノズルが吸着した袋部だけが下方に移動し、その上部に配置されている袋部は位置を変更する事が少ない。そのため、ロータリー丁合機でこれを喰え取ろうとすると、下方に位置を変化した、その一番下の袋部だけを喰え取る事に成る。
【００１５】
そうすると、刷本の、複数ある袋部の最下部のみが引き出されるものと成り、１つの刷本の上部は引き出されないから、たちまち刷本に擦れ、依れ等を生じ刷本を破断してしまうものと成る。
【００１６】
本発明は、このようにバラケ部分若しくは複数袋部を小口側に備える様に折畳んだ刷本の、複数袋部からの喰え取りを可能にしようとするものである。
【００１７】
【課題を解決するための手段】
本発明は上述の如き課題を解決するため、刷本載置台に載置した刷本の小口側の下面に、吸着ノズルを吸着して刷本を下方に引き下げるとともにこの引き下げた刷本の上面に、水平方向に位置を往復運動させながらエアーノズルで加圧エアーを吹き付け、刷本を上面から下方に押圧し、この押圧によって下方に引き下げられた刷本と、この引き下げた刷本の上部に配置した刷本との間に刷本分離片を挿入して刷本を更に引き下げ、上部の刷本との間隔を大きく形成するとともに、この状態の引き下げられた刷本を、ロータリーシリンダー機構により喰え取って、刷本載置台から引き出す事を特徴として成るものである。
【００１８】
また、上記方法を実施する装置は、刷本載置台の下面に臨ませて配置し刷本の小口側の下面を吸着して刷本を下方に引き下げる吸着ノズルと、この吸着ノズルの引き下げに伴って引き下げられた刷本の上面に、水平方向に位置を往復運動させながら加圧エアーを吹付けるエアーノズルと、吸着ノズルとエアーノズルからの加圧エアーの吹付けにより引き下げられた刷本とこの刷本の上部に配置した刷本との間に挿入可能に配置した刷本分離片と、この刷本分離片によって上部の刷本と小口側を分離した刷本を喰え取るロータリーシリンダー機構とから成るものである。
【００１９】
また、刷本は、複数枚の紙を複数回折畳んで、複数枚の紙が小口側に露出したバラケ部と、折畳んでバラケのない天地側の袋部とから成るものであっても良い。
【００２０】
また刷本は、複数枚の紙を複数回折畳んで、複数枚の紙が一方の小口側に露出したバラケ部と、折畳んでバラケのない天地側の袋部と、折畳んだ複数の袋部が露出した他方の小口側の複数袋部から成るものであっても良い。
【００２１】
また、刷本の喰え取りは、折畳んだ複数の袋部が露出した複数袋部から行うものであっても良い。
【００２２】
また、エアーノズルは、吸着ノズルで引き下げられた刷本の小口側と天地側のバラケのない袋部との交差部分に臨ませて配置しものであっても良い。
【００２３】
エアーノズルは、吸着ノズルで引き下げられた刷本の小口側と天地側のバラケのない袋部との交差部分及び刷本の小口側の上面に臨ませて複数個配置したものであっても良い。
【００２４】
また、刷本分離片は、支点軸により分離本体に、上下方向の回動可能に軸支され、分離本体との間隔に介装した押圧発条によって上部方向に付勢されるとともに、フレーム本体に固定した突当コロに突き当て、支点軸を支点として下方に回動可能としたものであっても良い。
【００２５】
【作用】
本発明は、上述の如く構成したものであるから、小口側にバラケ若しくは複数袋部を配置し、天地側にバラケ部と１つの袋部を配置する様に折畳んだ刷本を、ロータリー丁合機に於て喰え取るには、まず、小口側の複数袋部に臨ませて配置している吸着ノズルを、刷本の複数袋部の下面に吸着する。
【００２６】
この場合、吸着ノズルは複数個若しくは１個用いるものであるが、必ずその１つは天地側の袋部に近い部分に配置している。そしてこの吸着ノズルを刷本の下面に吸着させて引き下げると、複数袋部の最も下面に配置した袋部が下方に引き下げられる。そして、同時に、その上方に配置されている他の複数袋部を構成する袋部も、下側の吸引されている袋部によって下方に引き下げられ、刷本載置台の下端に於て不揃いながら下方に移動する。
【００２７】
この、不揃いながら下方に移動した複数の袋部の上面から、加圧エアーを吹き付ける。この吹き付けは、上部に位置する刷本と、これから喰え取りを行おうとする刷本の間に加圧エアーを吹き付ける事により、この加圧エアーによって、これから喰え取ろうとする刷本の全体を揃えて下方に湾曲させる。
【００２８】
この湾曲によって、上部に積み上げられた刷本載置台の刷本と区別して喰え取るための最下端の刷本のみが下方に湾曲する。そして、このノズルは、刷本の上面に於て水平方向に移動させながら、加圧エアーを刷本に吹き付けるものであるから、その加圧力が刷本の小口側の辺の広い面積に加えられる事から、刷本は比較的弱い加圧エアーによっても容易に下方に湾曲する事が可能と成る。
【００２９】
そして、この下方に湾曲した最下端の刷本と、上部に配置されている刷本との間に刷本分離片を差し込む。この刷本分離片の差し込みによって、上部の刷本とこれから喰え出すための最下端の刷本とは、確実に分離がされ、しかも刷本分離片の上方からの押圧によって、複数袋部は、あたかも１つの袋部と同様にバラケる事なく配置される。そのため、ロータリー丁合機によってこの刷本の複数袋部を同時に喰え取る事が可能と成る。
【００３０】
この喰え取りによって、従来のロータリー丁合機と同様に刷本を確実に引き出す事ができるものである。このように、本発明に於ては小口側にバラケ部を配置したり、複数の袋部を配置した刷本に於て、この小口側からの刷本の喰え取りを確実に行い、刷本の破損等を生じる事なく、従来の１つの袋側から刷本を喰え取るのと同様の作業を可能にするものである。
【００３１】
また、本発明方法に於ては上述の如く、バラケ部とか複数の袋部側から刷本を喰え取る場合に於て特に好都合なものであるが、従来と全く同様に小口側に１つの袋部を配置した刷本を喰え取る事が可能である事は勿論であって、そのような刷本の喰え取りに用いる事も十分に可能なものである。
【００３２】
【実施例】
以下、本発明の一実施例を図面に於て説明すれば、(１)は本発明方法及びその装置に於て喰え取る事が最も好都合な刷本である。この刷本(１)は大判の長尺状の紙に印刷を施した紙を折畳んで、Ｂ５、Ａ４その他適宜の規格サイズに折畳んだものであって、図７に示す如く、長方形に折畳まれており、その長辺側を小口側(２)、短辺側を天地側(３)と称している。
【００３３】
そして、刷本は１枚の紙を複数回折畳んだものであるから、印刷した紙がそのまま１枚１枚の切り口が表れるバラケ部(４)と、折畳んだ事によって複数の紙の切り口が表れる事のない袋部(５)とが存在するものと成る。そして、この刷本(１)に於ては天地側(３)にバラケ部(４)と１つの袋部から成る単数袋部(６)が形成され、小口側(２)にバラケ部(４)と複数の袋部(５)を備えた複数袋部(７)とが存在する。
【００３４】
この複数袋部(７)は、折畳みの具合により、２つ若しくは４つ若しくは８つ等の偶数倍の複数の袋部(５)を配置するものと成る。そして、天地側(３)は常に１つの袋部である単数袋部(６)が形成されている。このように形成した刷本(１)を、図８〜図１２に示す如く、ロータリー丁合機(８)の刷本載置台(１０)上に多数枚積層して配置する。
【００３５】
そして、この刷本載置台(１０)への刷本(１)の配置に於ては、図１〜図６に示す如く、ロータリー丁合機(８)による取り出し側に、複数袋部(７)を配置する。即ち、この複数袋部(７)を、ロータリー丁合機(８)の喰え取り可能な方向に向けて刷本載置台(１０)に配置している。また、この刷本載置台(１０)の下面には、刷本(１)を引き出すための開口部(１１)が図８〜図１２に示す如く形成されており、この開口部(１１)の下面に、刷本(１)に臨ませて吸着ノズル(１２)が複数個配置されている。
【００３６】
この吸着ノズル(１２)は、バキュームポンプ等に接続するとともに上下動可能に形成され、刷本(１)の下面に吸着して刷本(１)を下方に引き下げる作用をもっている。そして、この複数の吸着ノズル(１２)の内の、少なくとも１つは、図１〜図６に示す如く、単数袋部(６)と小口側(２)の複数袋部(７)と交差する位置、即ち単数袋部(６)の角部(２６)の下面部分に配置する。
【００３７】
また、吸着ノズル(１２)を作動する構成は次の通りである。まず、適宜の駆動源(図示せず)と接続し回動する駆動軸(１３)を、図１４，図１５に示す如く、円盤状の第２カム(１４)に挿通固定し、この第２カム(１４)の側面に凹設形成したカム溝(１５)に、第２クランクレバー(１６)の一端を摺動可能に係合している。そして、この第２クランクレバー(１６)に、第２接続軸(９)を介して第２連結レバー(１９)をの一端を接続している。この第２連結レバー(１９)の他端に、支点ピン(１７)を介して回動レバー(１８)を接続している。そして、この回動レバー(１８)は固定軸(２９)を介して本体プレート(２２)に回動可能に軸支している。
【００３８】
また、この回動レバー(１８)には、プレート(２０)の一端を接続し、このプレート(２０)の他端には、回動レバー(１８)と同様の構成をとる、第２回動レバー(２１)を、図１４，図１８に示すごとく接続している。この第２回動レバー(２１)を、装置の本体プレート(３９)に第２支点ピン(２３)を介して回動自在に接続する。そして、上記の回動レバー(１８)と第２回動レバー(２１)を連結したプレート(２０)に、吸着ノズル(１２)を上面に固定したＬ字型の吸着レバー(２４)を複数個固定している。
【００３９】
そして、駆動軸(１３)の回転に伴う第２カム(１４)の回転によって、この第２カム(１４)のカム溝(１５)に係合している回動レバー(１８)が上下に揺動し、この回動レバー(１８)の揺動に伴ってプレート(２０)も上下の回動方向に揺動する。このプレート(２０)に固定した複数の吸着レバー(２４)も、吸着ノズル(１２)と共に、プレート(２０)の回動方向の揺動に伴って上下動し、刷本(１)の下端に吸着するとともに、吸着した刷本(１)を下方に引き下げる事が可能となる。
【００４０】
そして、前述の如く、複数の吸着ノズル(１２)の内の、少なくとも１つは、図１〜図６に示す如く、単数袋部(６)と小口側(２)の複数袋部(７)と交差する位置、即ち単数袋部(６)の角部(２６)の下面部分に配置するが、他の吸着ノズル(１２)は複数袋部(７)の天地側(３)に近い位置に配置している。この状態で、吸着ノズル(１２)を刷本(１)に吸着させて、吸着ノズル(１２)を引き下げると、図３に示す如く、刷本(１)は複数袋部(７)の最下端に位置する袋部(５)が下方に移動するとともに、その上部に位置する他の袋部(５)も、最下端の１つの袋部(５)に引っ張られて、不揃いながら下方に移動するものとなる。
【００４１】
この状態に於て、多少下方に移動した刷本(１)の上面から、エアーノズル(２５)により刷本(１)の上面に加圧エアーの吹き付けを行う。このエアーノズル(２５)は、１個若しくは複数個配置して噴射する。そして、少なくとも１つのエアーノズル(２５)は、単数袋部(６)と、小口側(２)に配置した複数袋部(７)の交差する角部(２６)に臨ませて配置する。このエアーノズル(２５)から、加圧エアーを吸着ノズル(１２)によって引き下げられた刷本(１)の上面に吹き付ける。
【００４２】
この、吸着ノズル(１２)によって引き下げられた刷本(１)への、エアーノズル(２５)からの加圧エアーの吹き付けは、エアーノズル(２５)を刷本(１)の上面に広く吹き付ける事ができる様に、水平に移動しながら行うと共に上下にも首振りを行うことが可能となるよう行うものである。
【００４３】
エアーノズル(２５)を水平に移動させながら刷本(１)に吹き付ける事により、刷本(１)の広い面積を加圧エアーで加圧する事が可能と成るから、弱い加圧エアーによって、刷本(１)の大きな折り曲げ湾曲が可能となる。この場合エアーノズル(２５)を一箇所に於て固定的に噴射するものとすれば強い加圧エアーが必要となり、その分コンプレッサー等の装置を高価なものとしなければならず不経済なものとなる。
【００４４】
そして、このエアーノズル(２５)の水平方向の運動は、駆動軸(１３)に接続して回転する円盤状の第１カム(２７)の運動に連動して行うものである。即ち、第１カム(２７)の側面に形成したカム溝(１５)に第１クランクレバー(２８)を接続し、この第１クランクレバー(２８)に接続軸(３０)を介して接続した第１レバー(３１)を揺動レバー(３２)に第１連結軸(５４)で軸支している。
【００４５】
この揺動レバー(３２)には、揺動軸(３３)を固定し、この揺動軸(３３)の他端に、同じく第２揺動レバー(３４)を接続している。そして、この第２揺動レバー(３２)には、第２レバー(３５)を回動軸(３６)を介して接続し、この第２レバー(３５)の下端に、エアーノズル(２５)を突出したノズル体(３７)を軸支している。
【００４６】
そして、第１カム(２７)の回動に伴い、この第１カム(２７)のカム溝(１５)に第１クランクレバー(２８)を介して接続している揺動レバー(３２)は、揺動軸(３３)を支点として揺動運動を行う。この揺動運動は、同じく第２揺動レバー(３４)に伝達され、この第２揺動レバー(３４)の揺動運動が、第２レバー(３５)を介してノズル体(３７)に伝達される。そのため、ノズル体(３７)は、吸着ノズル(１２)によって引き下げられた刷本(１)の上面に従って水平移動し、エアーノズル(２５)で刷本(１)に加圧エアーを噴射する。
【００４７】
この刷本(１)への加圧エアーの噴射は、刷本(１)の上面にエアーを吹き付けるが、刷本(１)と平行に近い方向に加圧エアーを噴射する事によって、吸着ノズル(１２)によって引き下げられた刷本(１)と、刷本載置台(１０)に載置されている上部の刷本(１)との分離を大きくする事が出来る。
【００４８】
また、このノズル体(３７)は水平方向に移動するのみでなく、図２０に示す如く、一定の角度に於て回転運動を行うものである。この回転運動は、ノズル体(３７)を前述の第２回動レバー(２１)に支持軸(３８)を介して回動自在に接続する事により行う。
【００４９】
このように構成したものに於て、駆動軸(１３)の回動に伴う第２カム(１４)の回転に伴って、第２カム(１４)のカム溝(１５)に接続している第２クランクレバー(１６)の運動に伴い、回動レバー(１８)は支点ピン(１７)を支点として上下に揺動回転する。この揺動回転に伴い、プレート(２０)を介して接続している第２回動レバー(２１)も同様に回動し、この一定角度の範囲で回動復元する。
【００５０】
この回動復元に伴って、ノズル体(３７)も回動するから、この回動を行いながら、前記の第２揺動レバー(３４)の水平方向の移動と同期して移動を行うものと成る。この水平方向の移動とノズル体(３７)の一定角度の範囲に於ける回動動作に伴い、吸着ノズル(１２)によって引き下げられた刷本(１)は、下方に強く押圧され、上部に配置している刷本(１)との間隔を大きく開く事が可能と成る。
【００５１】
また、刷本(１)へのエアーの吹きつけは、上記のノズル体(３７)の他に、自動的には移動することなく、手動によりその位置を適宜移動できるように配置した、噴射ノズル(５５)を、図１４，図１６に示すごとく、吸着ノズル(１２)で引き下げた刷本(１)の幅方向の中間部に臨ませて配置し、加圧エアーを刷本(１)の上面から吹き付け可能としている。
【００５２】
また、駆動軸(１３)には、図１４、図１７、図２２に示すごとく、第３カム(４０)が形成されており、この第３カム(４０)にもカム溝(１５)が形成され、このカム溝(１５)には第３クランクレバー(４１)が係合している。この第３クランクレバー(４１)には、第３揺動レバー(４２)が連結軸(４７)を介して接続し、この第３揺動レバー(４２)に第３支持軸(４３)を介して刷本分離片(４４)を接続している。
【００５３】
この刷本分離片(４４)は、前述のノズル体(３７)と吸着ノズル(１２)及びエアーノズル(２５)による刷本(１)の下方向への分離に対応し、図１に示す如く、引き下げられた刷本(１)とその上部に位置する刷本(１)との間に挿入し、刷本(１)の下方への引き下げを更に強くするものである。
【００５４】
そして、この刷本分離片(４４)は、図１７，図２２に示す如く、分離本体(４５)の先端に突出し、この分離本体(４５)を、装置本体に固定したロッド(４６)の外周に摺動可能に装着している。そして、前記の第３カム(４０)による第３揺動レバー(４２)の前後動に伴って、ロッド(４６)の外周を摺動する。
【００５５】
また、刷本分離片(４４)は、図２３に示すごとく、支点軸(５６)により、分離本体(４５)の回動部(５８)に、上下方向の回動可能に軸支されるとともに、分離本体(４５)との間隔に介装した押圧発条(５７)によって上部方向に付勢されている。
【００５６】
そして、第３カム(４０)の回動に伴い、吸着ノズル(１２)による刷本(１)の引き下げに連動して、この引き下げられた刷本(１)の上面と上部の刷本(１)間に、図４に示すごとく、刷本分離片(４４)が移動して挿入される。この移動挿入に伴って、刷本分離片(４４)は、フレーム本体(６０)に固定した突当コロ(５９)に、上部の突当面(６１)を突き当てる。この突き当てによって、刷本分離片(４４)は、図９、図２４に示すごとく、支点軸(５６)から下方に回動し、刷本(１)を更に強く下方に移動させ、上部に位置する刷本(１)との間隔を大きく形成する。
【００５７】
また、この刷本分離片(４４)の回動部(５８)は、ロッド(４６)に装着している分離本体(４５)とは、コイル発条(４８)を介して回動可能に接続し、通常状態に於ては、刷本分離片(４４)の先端部を刷本(１)方向にコイル発条(４８)によって付勢している。
【００５８】
そして、このコイル発条(４８)により刷本(１)方向に付勢された状態で、突当片(５０)にその側面を突き当て、刷本分離片(４４)を刷本(１)間に挿入し、刷本(１)等に強く押し戻された場合には、コイル発条(４８)の復元力に抗して、その位置を後方に回避させる。この回避により刷本(１)の破損を生じたり、若しくは刷本分離片(４４)の破損を生じる事がない様に安全性を保持している。
【００５９】
また、この駆動軸(１３)には、図８〜図１４に示す如く、ロータリーシリンダー(５１)を配置し、このロータリーシリンダー(５１)に喰え取り機構(５２)を形成している。この喰え取り機構(５２)は、従来公知のものを用いることが可能で、例えば特公平４−２４２３９号公報等に示すものを用いる事ができる。その作用、構成の詳細に付いては省略するが、前記の刷本(１)の吸着ノズル(１２)による引き下げ、及び、刷本分離片(４４)の刷本(１)間への挿入に同期して、下方に引き下げた刷本(１)を喰え爪(５３)で喰え取り、刷本載置台(１０)から引き出すものである。
【００６０】
このロータリーシリンダー(５１)の喰え爪(５３)による刷本(１)の喰え取りは、刷本(１)が前述の如く、吸着ノズル(１２)、エアーノズル(２５)、刷本分離片(４４)等の作用によって、上部の刷本(１)との間隔を確実に大きく広げた状態に於て行われる。そのため、複数の袋部(５)が配置された複数袋部(７)方向から刷本(１)の喰え取りを行うものであっても、一組の刷本(１)を確実に喰え取る事が可能と成り、従来の、袋部(５)が１つの場合の刷本(１)の喰え取りと同様の喰え取りを可能とする事ができる。
【００６１】
従って、従来技術では不可能であった複数袋部(７)からの刷本(１)の喰え取りが可能となるため、従来のロータリー丁合機(８)では不可能と成る複数袋部(７)からの刷本(１)の喰え取りを、従来のロータリー丁合機(８)を基本としながら、上記の構成部分に於てのみ改良を加えるのみで、複数袋部(７)を有する刷本(１)の喰え取りが可能と成るものである。
【００６２】
【発明の効果】
本発明は、上述の如く構成したものであるから、小口側にバラケ部と複数袋部とを配置する様に折畳んだ刷本を、ロータリー丁合機によって、小口側から確実に喰え取り、刷本の破損等を生じる事なく、従来の単数袋部から刷本を喰え取るのと同様の作業を可能にする。また、刷本の折り畳み方法は、上記実施例に記載したものの他、種々のものが存在するが、いずれの場合もバラケ部や複数袋部からの刷本の喰え取りを可能とするものである。
【図面の簡単な説明】
【図１】吸着ノズルで引き下げた刷本の上面に刷本分離片を挿入した状態の概略図。
【図２】刷本と吸着ノズル及びエアノズルの配置関係を示す概略図。
【図３】刷本に吸着ノズルを吸着させて刷本を引き下げた状態の概略図。
【図４】刷本を喰え爪で喰え取った状態の概略図。
【図５】刷本を喰え爪で喰え取り引きだす状態の概略図。
【図６】刷本を喰え爪で喰え取り引きだした状態の概略図。
【図７】刷本の斜視図。
【図８】ロータリー丁合機の刷本載置台に刷本を載置した状態の側面図。
【図９】ロータリー丁合機の吸着ノズルで刷本を吸着した状態の側面図。
【図１０】ロータリー丁合機の喰え爪で刷本を喰え取った状態の側面図。
【図１１】ロータリー丁合機の喰え爪で刷本を引きだした状態の側面図。
【図１２】ロータリー丁合機の受け皿に刷本を放出した状態の側面図。
【図１３】要部の斜視図。
【図１４】要部の分解斜視図。
【図１５】第１カム及び第２カム部分を示す拡大分解斜視図。
【図１６】吸着ノズル部分を示す拡大分解斜視図。
【図１７】第３カム部分を示す拡大分解斜視図。
【図１８】エアノズル部分を示す拡大分解斜視図。
【図１９】刷本吸着前の吸着ノズルとエアノズルの関係を示す斜視図。
【図２０】刷本吸着後の吸着ノズルとエアノズルの関係を示す斜視図。
【図２１】刷本分離片を刷本間に挿入した状態とエアノズルの関係を示す斜視図。
【図２２】分離本体の拡大斜視図。
【図２３】刷本分離片の一部切り欠き拡大図。
【図２４】図９の刷本分離片部分の部分拡大図。
【符号の説明】
１ 刷本
２ 小口側
３ 天地側
４ バラケ部
５ 袋部
６ 複数袋部
１０ 刷本載置台
１２ 吸着ノズル
２５ エアノズル
４４ 刷本分離片
５１ ロータリーシリンダー
【図１】
0003940232.tif 000002
【図２】
0003940232.tif 000003
【図３】
0003940232.tif 000004
【図４】
0003940232.tif 000005
【図５】
0003940232.tif 000006
【図６】
0003940232.tif 000007
【図７】
0003940232.tif 000008
【図８】
0003940232.tif 000009
【図９】
0003940232.tif 000010
【図１０】
0003940232.tif 000011
【図１１】
0003940232.tif 000012
【図１２】
0003940232.tif 000013
【図１３】
0003940232.tif 000014
【図１４】
0003940232.tif 000015
【図１５】
0003940232.tif 000016
【図１６】
0003940232.tif 000017
【図１７】
0003940232.tif 000018
【図１８】
0003940232.tif 000019
【図１９】
0003940232.tif 000020
【図２０】
0003940232.tif 000021
【図２１】
0003940232.tif 000022
【図２２】
0003940232.tif 000023
【図２３】
0003940232.tif 000024
【図２４】
0003940232.tif 000025